(57)【要約】【課題】本発明の課題は、家庭用電気機器の集中的動作による、ブレーカーの遮断を防止することにある。【解決手段】１／ｆゆらぎ制御をおこなう機器１ａ，１ｂの制御機能２に通信機能３を設ける。機器相互に通信をおこない、同時に高出力状態にならないように１／ｆゆらぎ制御にすることにより、電源電流を平均化し、ピーク電流を抑える。これにより、従来のデマンド制御のように、機器の電源を遮断することなく、ブレーカーの遮断を起こりにくくする。【選択図】  図１
2004360930.tif 000002
【特許請求の範囲】
【請求項１】
家庭での１／ｆゆらぎ制御をおこなう空調機などの機器に、他の１／ｆゆらぎ制御をおこなう機器との通信機能を設け、１／ｆゆらぎ制御のタイミングを機器間で調整し合い、ブレーカーの遮断を防止することを特徴とする制御方法。
【請求項２】
請求項１において、起動電流の大きな機器に通信機能を設け、起動直前に１／ｆゆらぎ制御を行う機器に対し、低出力運転をおこなう要求を出し、出力電流が安定後、解除要求を出す。これにより１／ｆゆらぎ制御の動作を、一時的に低出力運転にし、更に大きな起動電流の機器が起動する場合でも、ブレーカーの遮断を防止ができることを特徴とした制御方法。
【請求項３】
請求項２において、ブレーカーの電流を監視する機器の通信機能を設け、ブレーカーが遮断しないと判断した場合、請求項２の低出力運転をおこなう要求を出さず、１／ｆゆらぎ制御に変化を与えないことを特徴とした制御方式。
【請求項４】
請求項１，２，３において、各機器の制御を制御用のコントローラで集中制御することを特徴とした制御方法。
【発明の詳細な説明】
【０００１】
【発明の属する技術分野】
本発明は、一般家庭用の１／ｆゆらぎ制御おこなう機器の機器連動制御および、ピーク電流制限に関するものである。
【０００２】
【従来の技術】
従来の技術としては、特開平１０−１１１００４号公報等にあるように、１／ｆゆらぎ制御によって快適な運転をおこなう方法が知られている。
【０００３】
図２にゆらぎ制御の一例を示す。４は１／ｆゆらぎ制御動作、５は機器の消費電流を示す。４のように、温度を周期的に変化させることにより、快適性を高めたり、省エネ化する手法であり、機器の消費電流は５のように、周期的に大きく変化する。
【０００４】
また、ピーク電流の制限に関する技術としては、特開平２０００−２１７２５４号公報等にあるように、機器に優先順位を設けて、優先順位に従い機器を遮断する方法が知られている。
【０００５】
【特許文献１】
特開平１０−１１１００４号公報
【特許文献２】
特開平２０００−２１７２５４号公報
【０００６】
【発明が解決しようとする課題】
しかしながら、この従来技術では、１／ｆゆらぎ制御をおこなう機器が複数あって、互いに同じタイミングで高出力運転状態になった場合、ピーク時には同時に高出力運転をおこない、大きな電流が流れることになる。そのため、高出力運転のタイミングに、起動電流の大きな機器が運転を開始した場合、ブレーカーを遮断してしまう恐れがある。
【０００７】
この対応方法として、従来技術の機器に優先順位を設けて、優先順位に従って、機器を遮断する方法が考えられるが、空調機などの機器が遮断された場合、快適性を損ねる可能性がある。
【０００８】
本発明の目的は、１／ｆゆらぎ制御をおこなう機器が複数動作したときに、同時に高出力運転をおこなわないようにする。それにより、ピーク電流を抑え、起動時に大電流の流れる機器が動作した場合にも、ブレーカーの遮断が起こりにくくすることにある。また、ブレーカーの遮断を起こりにくくすることによる、快適性の低下を最小限にすることにある。
【０００９】
【課題を解決するための手段】
上記目的を達成するため、本発明第１の制御手段は、１／ｆゆらぎ制御をおこなう機器に通信機能を設けて、相互に通信をおこない、同時に高出力運転にならないように、制御のタイミングをずらす。それにより、ブレーカーが遮断しない範囲で使用できる電流に余裕をもたせ、大電力の機器が起動することにより起こるブレーカーの遮断を防止することを特徴とする。
【００１０】
本発明第２の制御手段は、１／ｆゆらぎ制御をおこなう機器および、起動電流の大きい機器に通信機能を設けて通信をおこない、通常は第１の制御をおこなうが、起動電流の大きい機器が起動する前後にのみ、低出力運転状態にすることを特徴とする。
【００１１】
本発明第３の制御手段は、第２において、機器との通信機能をもつ、ブレーカーに流れる電流もしくは電力を測定できる機器との通信をおこない、起動電流の大きい機器が起動した場合でも、ブレーカーが遮断しないと判断した場合には、低出力運転への移行はおこなわないことを特徴とする。
【００１２】
本発明第４の制御手段は、第１〜第３において、各機器との通信機能をもつコントローラにて集中制御をおこなうことを特徴とする。
【００１３】
【発明の実施の形態】
本発明の一実施例を、図１を参照しながら説明する。１ａ，１ｂは１／ｆゆらぎ制御をおこなう機器、２は制御機能、３は通信機能から構成される。
【００１４】
１／ｆゆらぎ制御をおこなう機器１ａの制御機能２に、外部機器との通信機能３を付加する。これに別の１／ｆゆらぎ制御をおこなう機器１ｂを接続し、相互に通信をおこなう。１／ｆゆらぎ制御をおこなう機器１ａに対し、１ｂの制御タイミングをずらし、同時に高出力運転にならないように制御する。
【００１５】
この場合の、制御の一例を図３、図４を参照しながら説明する。図３は、本発明での制御をおこなわず、ゆらぎ制御のタイミングが重なってしまった場合、図４は、本発明での制御をおこなった場合の、暖房運転を例とした動作を示す。６，９は１／ｆゆらぎ制御機器の温度変化、７，１０は１／ｆゆらぎ制御機器２の温度変化、８，１１は１／ｆゆらぎ制御機器１、２の消費電流の合計を示す。
【００１６】
図３において、機器の温度変化６，７での高出力運転状態が重なる時に、合成電流８は非常に高い値となる。それに対し、本発明により、機器の温度変化９，１０をずらし、同時に高出力状態にならないような制御をおこなうことにより、合成電流１１の変化量を減らし、ピーク電流を小さくすることが可能となる。
【００１７】
本発明の第２の実施例について、図５を使って説明する。１ａ，１ｂは１／ｆゆらぎ制御をおこなう機器、１２は起動電流が大きな機器から構成される。第１の実施例において、起動電流が大きな機器１２に他の機器との通信機能を付加した構成とし、相互の通信をおこなう。起動電流が大きな機器１２の起動の前後に、起動電流が大きな機器１２から、１／ｆゆらぎ制御機器１ａ，１ｂに対して低出力運転へ移行する要求をする。それを受けた１／ｆゆらぎ制御機器１ａ，１ｂは、起動電流が大きな機器１２から起動終了に要求の解除信号が来るまで低出力運転をすることにより、第１の実施例に比べ、更にブレーカーの遮断を起こりにくくする。
【００１８】
この場合の制御の一例を、図６を参照しながら説明する。１３，１４は、１／ｆゆらぎ制御機器の温度変化、１５は１／ｆゆらぎ制御を行う機器１、２の合成電流、１６は起動電流の大きな機器の電流変化を示す。ここで、起動電流の大きな機器の電流１６の大きな期間の前後に、１／ｆゆらぎ制御機器１および２を低出力状態にし、合成電流１５を小さくする。起動時間は一般的に短いので、１／ｆゆらぎ制御に大きく影響を与えない。
【００１９】
本発明の第３の実施例を、図７を参照しながら説明する。１ａ，１ｂは１／ｆゆらぎ制御をおこなう機器、１２は起動電流が大きな機器、１７は電流または電力センサから構成される。第２の実施例に対し、電流または電力センサ１７により、ブレーカーの遮断が起こると判断した場合には、１／ｆゆらぎ制御機器１ａ，１ｂは、低出力運転要求を受け付けないことにより、一時的な低出力運転をおこなわず、１／ｆゆらぎ制御に変化を与えず、快適性を損ねない。
【００２０】
本発明の第４の実施例を、図８を参照しながら、説明する。１ａ，１ｂは１／ｆゆらぎ制御をおこなう機器、１２は起動電流が大きな機器、１７は電流または電力センサ、１８はコントローラから構成される。実施例１〜３での分散制御に対し、各機器をコントローラ１８により集中制御する。
【００２１】
【発明の効果】
本発明によれば、１／ｆゆらぎ制御をおこなう機器複数が動作し、同時に高出力運転をおこなうことによって起こる、ブレーカーの遮断を防止することができる。また、それらの制御による快適性の低下を最小限にすることができる。
【図面の簡単な説明】
【図１】本発明の実施例１の揺らぎ制御の連動システム構成図である。
【図２】１／ｆゆらぎ制御の一例を示す図である。
【図３】従来の動作説明図である。
【図４】本発明の実施例１の動作説明図である。
【図５】本発明の実施例２の、実施例１に起動電流の大きい機器との通信を追加したシステム構成図である。
【図６】本発明の実施例２の動作説明図である。
【図７】本発明の実施例３の、実施例２にブレーカーの電流を検出する装置との通信を追加したシステム構成図である。
【図８】本発明の実施例４の、実施例１〜３の制御を集中素制御するシステム構成図である。
【符号の説明】
１ａ…１／ｆゆらぎ制御を行う機器１、１ｂ…１／ｆゆらぎ制御を行う機器２、２…制御手段、３…通信手段、４…１／ｆゆらぎ制御の動作例、５…１／ｆゆらぎ制御時の機器の電流、６…１／ｆゆらぎ制御を行う機器１の動作、７…１／ｆゆらぎ制御を行う機器２の動作、８…１／ｆゆらぎ制御を行う機器の合成電流、９…１／ｆゆらぎ制御を行う機器１の動作、１０…１／ｆゆらぎ制御を行う機器２の動作、１１…１／ｆゆらぎ制御を行う機器の合成電流、１２…起動電流の大きな機器、１３…１／ｆゆらぎ制御を行う機器１の動作、１４…１／ｆゆらぎ制御を行う機器２の動作、１５…１／ｆゆらぎ制御を行う機器の合成電流１６…起動電流の大きな機器の電流、１７…電流または電力センサ、１８…コントローラ。
【図１】
2004360930.tif 000003
【図２】
2004360930.tif 000004
【図３】
2004360930.tif 000005
【図４】
2004360930.tif 000006
【図５】
2004360930.tif 000007
【図６】
2004360930.tif 000008
【図７】
2004360930.tif 000009
【図８】
2004360930.tif 000010